(57)【要約】【課題】床面の清掃を行う際に自然な姿勢で行うことができ、もって腰などに負担がかかり難い清掃用具を提供する。【解決手段】防水性を有し柔軟性材料からなるブーツ２と、ブーツ２の底面に形成された清掃用の多孔質体３又はブラシ体とを備えた。多孔質体３又はブラシ体１３が、平面視ほぼ方形状形状をなし、ブーツ２の爪先側から土踏まず付近まで延びている。多孔質体３又はブラシ体の一部がブーツの側面の少なくとも下部にほぼ密着している。多孔質体３又はブラシ体が、ほぼ直方体形状をなし、ブーツ２の爪先側から土踏まず付近まで配置され、ブーツ２の側面の下部が前記多孔質体３又はブラシ体内に埋め込まれている。【選択図】　　　　図１
2004024690.tif 000002
【特許請求の範囲】
【請求項１】
防水性を有し柔軟性材料からなるブーツと、当該ブーツの底面に形成された清掃用の多孔質体又はブラシ体とを備えたことを特徴とする清掃用具。
【請求項２】
前記多孔質体又はブラシ体が、平面視ほぼ方形状形状をなし、前記ブーツの爪先側から土踏まず付近まで延びていることを特徴とする請求項１記載の清掃用具。
【請求項３】
前記多孔質体又はブラシ体の一部が、前記ブーツの側面の少なくとも下部にほぼ密着していることを特徴とする請求項１記載の清掃用具。
【請求項４】
前記多孔質体又はブラシ体が、ほぼ直方体形状をなし、前記ブーツの爪先側から土踏まず付近まで配置され、ブーツの側面の下部が前記多孔質体又はブラシ体内に埋め込まれていることを特徴とする請求項１記載の清掃用具。
【発明の詳細な説明】
【０００１】
【発明が属する技術分野】
本発明は、浴室などの床面を清掃するために使用される清掃用具に関する。
【０００２】
【従来の技術】
浴室の床面などを清掃する場合には、直方体状のスポンジに洗剤などを含ませてそのスポンジを手に持って床面にしゃがんで清掃する方法が一般的である。また、直方体状のスポンジの代わりに短いハンドルや長いロッドの先端にスポンジや雑巾などが取り付けられた清掃用具を用いて清掃する方法もある。
【０００３】
【発明が解決しようとする課題】
しかしながら、スポンジを手でもって床面にしゃがんで清掃する方法では、腰に負担がかかりがちで、老人や腰に故障のある人にとっては重労働である。また、短いハンドルの先端にスポンジなどを取り付けた清掃用具を用いた場合にもある程度しゃがむ姿勢をしなければならず、腰への負担はあまり軽減されない。長いロッドの先端にスポンジ等を取り付けたものではしゃがむ姿勢はしなくてもよいが、ロッドを操作するときに想像以上に腰や腕などに負担がかかる。
【０００４】
本発明は上記事情に鑑みてなされたもので、床面の清掃を行う際に自然な姿勢で行うことができ、もって腰などに負担がかかり難い清掃用具を提供することを目的とする。
【０００５】
【課題を解決するための手段】
本発明の請求項１記載の清掃用具は、防水性を有し柔軟性材料からなるブーツと、当該ブーツの底面に形成された清掃用の多孔質体又はブラシ体とを備えたことを特徴とする。
【０００６】
本清掃用具によれば、本ブーツを片足に履き、ブーツの底面に形成された清掃用の多孔質体又はブラシ体を清掃すべき浴室などの床面に接触させ、必要に応じて洗剤などを床面などに散布し、ブーツを履いていない足を支えにしてブーツを履いている足を前後左右に移動させることにより、多孔質体又はブラシ体により床面の清掃を行う。
【０００７】
本発明の請求項２記載の清掃用具は、前記多孔質体又はブラシ体が、平面視ほぼ方形状形状をなし、前記ブーツの爪先側から土踏まず付近まで延びていることを特徴とする。
【０００８】
本清掃用具によれば、多孔質体又はブラシ体が、平面視ほぼ方形状形状をなしているので、床面と壁面とにより形成された隅部に、多孔質体又はブラシ体が的確かつ確実に密着させられ、隅部の清掃を確実に行える。また、多孔質体又はブラシ体がブーツの爪先側から土踏まず付近まで延びており、ブーツの踵部には多孔質体又はブラシ体が配置されていないので、この踵部を床面に接触させたり浮かせたりすることによりブーツの着地や移動を安定して行える。
【０００９】
本発明の請求項３記載の清掃用具は、前記多孔質体又はブラシ体の一部が前記ブーツの側面の少なくとも下部にほぼ密着していることを特徴とする。
【００１０】
本清掃用具によれば、ブーツを床面と壁面との隅部に押しつけると、多孔質体又はブラシ体の一部がブーツの側面を介して壁面などの隅部に押しつけられ、当該部分の清掃が確実に行なえる。
【００１１】
本発明の請求項４記載の清掃用具は、前記多孔質体又はブラシ体が、ほぼ直方体形状をなし、前記ブーツの爪先側から土踏まず付近まで配置され、ブーツの側面の下部が前記多孔質体又はブラシ体内に埋め込まれていることを特徴とする。
【００１２】
本清掃用具によれば、本ブーツを片足に履き、ブーツの底面に形成された清掃用の多孔質体又はブラシ体を清掃すべき浴室等の床面に接触させ、必要に応じて洗剤などを床面に散布し、ブーツを履いていない足を支えにしてブーツを履いている足を前後左右に移動させることにより、多孔質体又はブラシ体により床面の清掃を行う。また、多孔質体又はブラシ体がほぼ直方体形状をなしているので、床面と壁面とにより形成された隅部に、多孔質体又はブラシ体の側面が的確かつ確実に密着させられ、隅部の清掃を確実に行える。また、多孔質体又はブラシ体がブーツの爪先側から土踏まず付近まで延びており、ブーツの踵部には多孔質体又はブラシ体が配置されていないので、この踵部を床面に接触させたり浮かせたりすることによりブーツの着地や移動を安定して行える。ブーツを床面と壁面との隅部に押しつけると、多孔質体又はブラシ体の一部がブーツの側面を介して壁面などの隅部に押しつけられ、当該部分の清掃が確実に行える。
【００１３】
【発明の実施の形態】
以下に、図面を参照して本発明の実施の形態にかかる清掃用具について説明する。
【００１４】
（第１の実施の形態）
図１〜図４に示すように、本実施の形態にかかる清掃用具１は、防水性を有し柔軟性材料からなるブーツ２と、当該ブーツ２の底面に取り付けられた清掃用の多孔質体３とを備えて概略構成される。
【００１５】
ブーツ２は、塩化ビニールなどの材料から射出成形された半割り状の部品をその端面２ｂで接合して靴状に形成されたもので、人が足を挿入する足挿入空洞部２ａが形成され、当該足挿入空洞部２ａの上縁部には外縁波形のフランジ部２ｃが一体に形成されている。フランジ部２ｃには清掃用具１を吊り下げるための貫通孔２ｅが形成されている。図４に示すように、ブーツ２の底面のうち踵部に相当する部分には、滑り止めパターン２ｄが形成されている。なお、各人の利き足は異なるのでブーツ２の形状は左右の足で兼用できるような形状に成形することが好ましい。
【００１６】
多孔質体３は、例えば合成樹脂発泡体などからなるスポンジからなり、その外形形状はほぼ直方体形状をなしている。多孔質体３の他の例としては、スポンジなどの外表面に例えばナイロン繊維などを絡めた繊維層を設けたものやナイロン繊維などを絡めてブロック状にしたものやスポンジなどの表面に清掃用の粒子を埋設したものであってもよい。
【００１７】
多孔質体３の上面にはブーツ２の爪先部分から土踏まず付近の形状に対応した形状の凹部３ａが形成されている。この凹部３ａ内には、前記ブーツ２の爪先部分から土踏まず付近までの部分が挿入されて配置され、例えば接着剤などによりブーツ２と一体化されている。凹部３ａ内に挿入されているブーツ２の部分は側面の下部の一部であり、ブーツ２の側面の上部は多孔質体３から露出している。また、ブーツ２の底面の踵部に相当する部分に形成された滑り止めパターン２ｄは多孔質体３から露出している。
【００１８】
本清掃用具１の使用方法及び作用について説明する。
【００１９】
まず、浴室などの床面を清掃する場合には、本ブーツ２内に片足を挿入して清掃用具１を片足に装着する。次いで、必要に応じて洗剤や水などを床面に散布するか若しくは多孔質体３に含ませて、ブーツ２の底面に形成された清掃用の多孔質体３を清掃すべき浴室等の床面に接触させ、ブーツ２を履いていない足を支えにしてブーツ２を履いている足を前後左右に移動させる。これにより、多孔質体３により床面の清掃が行われる。この際、ブーツ２の踵部を床面に接触させたり浮かせたりして、ブーツ２を履いている足を移動させる。
【００２０】
床面と壁面との隅部を清掃しようとする場合には、床面と壁面とにより形成される隅部に、直方体形状をした多孔質体３の側面を当該隅部に密着させて、ブーツ２を壁面などに沿って移動させる。多孔質体３の側面が確実に隅部に密着させられて隅部の汚れを有効に落とすことができる。この際、ブーツ２を床面と壁面との隅部に押しつけると、多孔質体３の一部がブーツ２の側面を介して壁面などの隅部に押しつけられ、当該部分の清掃を確実に行うことができる。
【００２１】
（第２の実施の形態）
図５〜図８に示すように、本実施の形態にかかる清掃用具１１は、防水性を有し柔軟性材料からなるブーツ１２と、当該ブーツ１２の底面に取り付けられた清掃用のブラシ体１３とを備えて概略構成される。
【００２２】
ブーツ１２は、第１の実施の形態と同様に、塩化ビニールなどの材料から射出成形された半割り状の部品をその端面１２ｂで接合して靴状に形成されたもので、人が足を挿入する足挿入空洞部１２ａが形成され、当該足挿入空洞部１２ａの上縁部には外縁波形のフランジ部１２ｃが一体に形成されている。フランジ部１２ｃには清掃用具１１を吊り下げるための貫通孔１２ｅが形成されている。図８に示すように、ブーツ１２の底面のうち踵部に相当する部分には、滑り止めパターン１２ｄが形成されている。
【００２３】
ブラシ体１３は、合成樹脂などからなる剛性を有する外形形状がほぼ直方体形状の基材の下面及び側面に多数の刷毛を纏めたブラシ素子１３ｂが複数個埋め込まれて構成される。ブラシ素子１３ｂを構成する刷毛の太さや材質や本数及びブラシ素子１３ｂの配置パターンや数などは、清掃効果が十分に発揮できるように適宜選択されるもので、図示したものに限られない。ブラシ体１３の基部の外形寸法は、第１の実施の形態で示した多孔質体３の外形寸法よりも小さく形成されている。ブラシ素子１３ｂを保持する目的を持つものであって、多孔質体３のように大きく撓む必要がないからである。
【００２４】
ブラシ体１３の基材の上面にはブーツ１２の爪先部分から土踏まず付近の形状に対応した形状の凹部１３ａが形成されている。この凹部１３ａ内には、前記ブーツの爪先部分から土踏まず付近までの部分が挿入されて配置され、例えば接着剤などによりブーツ１２と一体化されている。凹部１３ａ内に挿入されているブーツ１２の部分は側面の下部の一部であり、ブーツ１２の側面の上部はブラシ体１３から露出している。また、ブーツ１２の底面の踵部に相当する部分に形成された滑り止めパターン１２ｄはブラシ体１３から露出している。
【００２５】
本清掃用具１１の使用方法及び作用について説明する。
【００２６】
まず、浴室などの床面を清掃する場合には、本ブーツ１２内に片足を挿入して清掃用具１１を片足に装着する。次いで、必要に応じて洗剤や水などを床面に散布し、ブーツ１２の底面に形成された清掃用のブラシ体１３のブラシ素子１３ｂを清掃すべき浴室等の床面に接触させ、ブーツ１２を履いていない足を支えにしてブーツ１２を履いている足を前後左右に移動させることにより、ブラシ体１３のブラシ素子１３ｂにより床面の清掃を行う。この際、ブーツ１２の踵部を床面に接触させたり浮かせたりして、ブーツ１２を移動させる。
【００２７】
床面と壁面との隅部を清掃しようとする場合には、床面と壁面とにより形成される隅部に、ブラシ体１３の側面に植え込まれたブラシ素子１３ｂを当該隅部に密着させて、ブーツ１２を壁面などに沿って移動させる。ブラシ体１３に植え込まれたブラシ素子１３ｂが側面に確実に隅部に密着させられて隅部の汚れを有効に落とすことができる。この際、ブーツ１２を床面と壁面との隅部に押しつけると、ブラシ素子１３ｂの先端がブーツ１２の側面を介して壁面などの隅部に押しつけられ、当該部分の清掃を確実に行うことができる。
【００２８】
（他の実施の形態）
上記実施の形態の清掃用具１では、ほぼ直方体形状の多孔質体３をその底面がブーツの底面と平行となるように取り付けているが、底面がブーツ２の底面に対して斜めになるように取り付けてもよい。特に、爪先側の厚みが土踏まず側の厚みよりも大きくなるように傾けることが好適である。踵を持ち上げて使用した場合には体重が主として爪先側にかかり多孔質体３の撓み量が大きくなるので、それを補正するためである。同様な考え方から、直方体の厚みを爪先側から土踏まず側へ漸次又は段階的に変化させた多孔質体３を、底面がブーツの底面に対して斜めになるように取り付けるようにしてもよい。
【００２９】
上記実施の形態の清掃用具では、多孔質体の底面及び側面を平面で構成したが、波形などの凹凸が形成されたものを使用してもよい。凹凸により床面や隅部などの清掃効率を高めることを目的とするものである。
【００３０】
上記実施の形態の清掃用具１，１１では、爪先側から土踏まず側に至るブーツ２，１２の上面が多孔質体３及びブラシ体１３から露出するように多孔質体３及びブラシ体１３を取り付けているが、当該ブーツ２，１２の上面を覆うように平面視方形状の多孔質体３又はブラシ体３を取り付けるようにしてもよい。例えば、あらかじめ成形されたブーツ２の爪先側に多孔質体３をブーツの外形に沿ってモールドするようにしてもよい。また、帯状の多孔質体３をブーツ２の側面側から爪先側から土踏まず側の部分に巻き付けるようにしてもよい。この場合には隅部を形成する部分の多孔質体３の厚みを大きくしたりブーツに角部を形成しておくなどの構造を採用して、底面縁部に明確な角部が形成されることが好ましい。
【００３１】
上記実施の形態の清掃用具１，１１では、多孔質体３及びブラシ体１３は接着剤などで一体的に取り付けるようにしているが、マジックテープ（登録商標）などの面ファスナーや耐水性粘着テープ等で着脱自在に取り付けるようにしてもよい。ブーツ２，１２よりも多孔質体３及びブラシ体１３の方が痛みやすいので、痛んだ多孔質体３又はブラシ体１３を交換することにより、清掃用具の再生を図ることができるようにするためである。
【００３２】
上記実施の形態の清掃用具１，１１では、ブーツ２，１２の底面に踵部に相当する部分に滑り止めパターン２ｄ，１２ｄを形成しているが、ゴム製などの滑り止め部材をブーツの底面の少なくとも踵部に貼り付けるようにしてもよい。滑り止め部材は踵部付近にのみ貼り付けたものでも、ブーツ２，１２の底面のほぼ前面に貼り付け、この上から上記多孔質体３又はブラシ体１３を取り付けるようにしたものであってもよい。
【００３３】
上記実施の形態の清掃用具１，１１では、多孔質体３及びブラシ体１３を爪先から土踏まず付近まで配置したが、土踏まずよりも爪先側で止まるものであってもよいし、爪先部分を外して配置したものであってもよい。
【００３４】
【発明の効果】
以上説明したように本発明の清掃用具では以下のような効果を奏する。
【００３５】
（１）本ブーツを片足に履き、ブーツの底面に形成された清掃用の多孔質体又はブラシ体を清掃すべき浴室等の床面に接触させ、必要に応じて洗剤などを床面に散布し、ブーツを履いていない足を支えにしてブーツを履いている足を前後左右に移動させることにより、腰などに負担が少ない自然な姿勢で、多孔質体又はブラシ体により床面の清掃を行うことができる。
【００３６】
（２）多孔質体又はブラシ体が平面視ほぼ方形状形状をなしているので、床面と壁面とにより形成される隅部に、多孔質体又はブラシ体が的確かつ確実に密着させられ、隅部の清掃を確実に行うことができる。
【００３７】
（３）多孔質体又はブラシ体がブーツの爪先側から土踏まず付近まで延びており、ブーツの踵部には多孔質体又はブラシ体が配置されていないので、この踵部を床面に接触させたり浮かせたりすることによりブーツの着地及び移動を安定して行うことができる。
【００３８】
（４）ブーツを床面と壁面との隅部に押しつけると、多孔質体又はブラシ体の一部がブーツの側面を介して壁面などの隅部に押しつけられ、当該部分の清掃を確実に行うことができる。
【００３９】
（５）多孔質体又はブラシ体がほぼ直方体形状をなしたものでは、床面と壁面とにより形成される隅部に、多孔質体又はブラシ体の側面が的確かつ確実に密着させられ、隅部の清掃を確実に行うことができる。
【図面の簡単な説明】
【図１】本発明の実施の形態にかかる清掃用具を示す斜視図である。
【図２】本発明の実施の形態にかかる清掃用具を示す平面図である。
【図３】本発明の実施の形態にかかる清掃用具を示す側面図である。
【図４】本発明の実施の形態にかかる清掃用具を示す底面図である。
【図５】本発明の実施の形態にかかる清掃用具を示す斜視図である。
【図６】本発明の実施の形態にかかる清掃用具を示す平面図である。
【図７】本発明の実施の形態にかかる清掃用具を示す側面図である。
【図８】本発明の実施の形態にかかる清掃用具を示す底面図である。
【符号の説明】
１，１１　　清掃用具
２，１２　　ブーツ
３　　多孔質体
１３　　ブラシ体
１３ｂ　ブラシ素子
【図１】
2004024690.tif 000003
【図２】
2004024690.tif 000004
【図３】
2004024690.tif 000005
【図４】
2004024690.tif 000006
【図５】
2004024690.tif 000007
【図６】
2004024690.tif 000008
【図７】
2004024690.tif 000009
【図８】
2004024690.tif 000010